(57)【要約】【課題】覚醒時に入眠の際に再生していた音楽の続きから聞くことができない。【解決手段】音楽再生装置１０は、音楽再生部１２と、記憶部１３と、脳波検出部１４ａと、演算処理部１４ｂと、電源制御部１９と、制御部１１と、を備える。制御部１１は、演算処理部１４ｂがユーザが入眠状態にあると判定すると音楽再生部１２に音量を減少させる。制御部１１は、演算処理部１４ｂがユーザが睡眠状態にあると判定すると再生している曲のファイル名および曲の再生停止位置を再生停止情報１３ｂとして記憶部１３に記憶させ音楽再生部１２に再生を停止させるとともに電源制御部１９により低消費電力モードに移行させる。制御部１１は、演算処理部１４ｂがユーザが睡眠状態にあると判定した後に覚醒状態にあると判定すると電源制御部１９により通常電力モードに移行させ音楽再生部１２に記憶部１３に記憶した再生停止情報１３ｂに基づいて音楽を再生させる。【選択図】図１
2015130907.tif 000002
【特許請求の範囲】
【請求項１】
複数の音楽および前記音楽の識別情報を記憶する記憶部と、
音量の調整および前記音楽の再生と停止が可能な音楽再生部と、
ユーザの生体情報を測定する生体情報センサと、
前記生体情報センサの出力から前記ユーザが覚醒状態、入眠状態、睡眠状態のいずれの状態にあるかを判定する覚醒度算出部と、
通常電力モードと低消費電力モードとを択一的に選択する選択部と、
前記覚醒度算出部が前記ユーザが入眠状態にあると判定すると前記音楽再生部に音量を減少させ、
前記覚醒度算出部が前記ユーザが睡眠状態にあると判定すると、前記音楽再生部に前記音楽の再生を停止させ再生していた前記音楽の識別情報を前記記憶部に記憶させるとともに前記選択部により前記低消費電力モードに移行させ、
前記覚醒度算出部が前記ユーザが睡眠状態にあると判定した後に覚醒状態にあると判定すると、前記選択部により前記通常電力モードに移行させ、前記記憶した音楽の識別情報により識別される音楽を前記音楽再生部に再生させる制御部と、を備える音楽再生装置。
【請求項２】
請求項１に記載の音楽再生装置において、
前記記憶部は、前記音楽の再生を停止した際の当該音楽の再生時間である再生停止位置をさらに記憶し、
前記制御部は、前記覚醒度算出部が前記ユーザが入眠状態にあると判定すると前記音楽再生部に音量を減少させ、前記覚醒度算出部が前記ユーザが睡眠状態にあると判定すると前記音楽再生部に前記音楽の再生を停止させ再生していた前記音楽の識別情報および前記再生停止位置を前記記憶部に記憶させるとともに前記選択部により前記低消費電力モードに移行させ、前記覚醒度算出部が前記ユーザが睡眠状態にあると判定した後に覚醒状態にあると判定すると前記選択部により前記通常電力モードに移行させ前記記憶した音楽の識別情報により識別される音楽を前記記憶した再生停止位置から前記音楽再生部に再生させる、音楽再生装置。
【請求項３】
請求項１または２に記載の音楽再生装置において、
前記記憶部は、音楽の再生開始方法を記述したレジューム再生設定をさらに記憶し、
前記制御部は、前記覚醒度算出部が睡眠状態にあると判定した後に覚醒状態にあると判定すると、前記選択部により前記通常電力モードに移行させ、前記レジューム再生設定の記述にしたがって、前記記憶した前記音楽の識別情報により識別される音楽を前記音楽の再生停止位置から前記音楽再生部にフェードイン再生をさせる、または前記記憶した前記音楽の識別情報により識別される音楽を先頭から前記音楽再生部に再生させる音楽再生装置。
【請求項４】
請求項１乃至請求項３のいずれか１項に記載の音楽再生装置において、
前記生体情報が脳波である音楽再生装置。
【請求項５】
請求項１乃至請求項４のいずれか１項に記載の音楽再生装置において、
前記低消費電力モードとは、少なくとも前記音楽再生部への電力供給を停止する状態である音楽再生装置。
【請求項６】
データ集約サーバと請求項１乃至請求項５のいずれか１項に記載の音楽再生装置とからなる音楽情報共有システムであって、
前記音楽再生装置は、前記データ集約サーバへデータ送信の要求を送信する音楽再生装置通信部をさらに備え、
前記音楽再生装置の前記制御部は、前記覚醒度算出部が前記ユーザが睡眠状態にあると判定すると前記音楽再生部に前記音楽の再生を停止させ、少なくとも再生していた前記音楽の識別情報を前記記憶部に記憶させるとともに、前記選択部により前記低消費電力モードに移行させるだけでなく、前記記憶した音楽の識別情報を前記音楽再生装置通信部に前記データ集約サーバへ送信させ、
前記データ集約サーバは、
前記音楽再生装置から前記音楽の識別情報を受信するサーバ通信部と、
前記受信した情報および前記受信した情報を一定期間ごとに出現回数により順位付けして蓄積する睡眠曲ランキングデータベースと、
前記音楽再生装置から前記データ送信の要求を受信すると前記睡眠曲ランキングデータベースのデータを前記サーバ通信部より送信するサーバ制御部と、を備える音楽情報共有システム。
【請求項７】
複数の音楽、および前記音楽の識別情報を記憶部に記憶する記憶工程と、
音量の調整および前記音楽の再生と停止が可能な音楽再生工程と、
ユーザの生体情報を測定する生体情報センサの出力から前記ユーザが覚醒状態、入眠状態、睡眠状態のいずれの状態にあるかを判定する覚醒度算出工程と、
通常電力モードと低消費電力モードとを択一的に選択する選択工程と、
前記覚醒度算出工程が前記ユーザが入眠状態にあると判定すると前記音楽再生工程により音量を減少し、前記覚醒度算出工程が前記ユーザが睡眠状態にあると判定すると前記音楽再生工程により前記音楽の再生を停止し再生していた前記音楽の識別情報を前記記憶工程により記憶するとともに前記選択工程により前記低消費電力モードに移行し、前記覚醒度算出工程が前記ユーザが睡眠状態にあると判定した後に覚醒状態にあると判定すると前記選択工程により前記通常電力モードに移行し前記記憶した音楽の識別情報により識別される音楽を前記音楽再生工程により再生する制御工程と、を備えコンピュータにより実行される音楽再生プログラム。
【発明の詳細な説明】
【技術分野】
【０００１】
本発明は、音楽再生装置、音楽情報共有システム、および音楽再生プログラムに関する。
【背景技術】
【０００２】
余暇の時間や公共交通機関による移動中に、音楽を聴きながら眠りに入ることがよく行われる。この際に再生している音楽の音量が大きく感じられ、入眠の妨げになることがある。特許文献１には、快適な入眠を促進するために、生体情報をもとに入眠状態を検出し再生音量を小さくする発明が開示されている。
【先行技術文献】
【特許文献】
【０００３】
【特許文献１】特開２００５−２１３３１
【発明の概要】
【発明が解決しようとする課題】
【０００４】
入眠時に再生していた音楽から覚醒時に再生を再開することができない。
【課題を解決するための手段】
【０００５】
（１）請求項１に記載の音楽再生装置は、複数の音楽および音楽の識別情報を記憶する記憶部と、音量の調整および音楽の再生と停止が可能な音楽再生部と、ユーザの生体情報を測定する生体情報センサと、生体情報センサの出力からユーザが覚醒状態、入眠状態、睡眠状態のいずれの状態にあるかを判定する覚醒度算出部と、通常電力モードと低消費電力モードとを択一的に選択する選択部と、覚醒度算出部がユーザが入眠状態にあると判定すると音楽再生部に音量を減少させ、覚醒度算出部がユーザが睡眠状態にあると判定すると音楽再生部に音楽の再生を停止させ再生していた音楽の識別情報を記憶部に記憶させるとともに選択部により低消費電力モードに移行させ、覚醒度算出部がユーザが睡眠状態にあると判定した後に覚醒状態にあると判定すると選択部により通常電力モードに移行させ記憶した音楽の識別情報により識別される音楽を音楽再生部に再生させる制御部と、を備える。
（２）請求項６に記載の音楽情報共有システムは、データ集約サーバと上記音楽再生装置とからなる。音楽再生装置は、データ集約サーバへデータ送信の要求を送信する音楽再生装置通信部をさらに備える。音楽再生装置の制御部は、覚醒度算出部がユーザが睡眠状態にあると判定すると音楽再生部に音楽の再生を停止させ再生していた音楽の識別情報および再生を停止させた位置を記憶部に再生停止情報として記憶させるとともに選択部により低消費電力モードに移行させるだけでなく、記憶した再生停止情報に含まれる音楽の識別情報を音楽再生装置通信部にデータ集約サーバへ送信させる。データ集約サーバは、音楽再生装置から音楽の識別情報を受信するサーバ通信部と、受信した情報および受信した情報を一定期間ごとに出現回数により順位付けして蓄積する睡眠曲ランキングデータベースと、音楽再生装置からデータ送信の要求を受信すると睡眠曲ランキングデータベースのデータをサーバ通信部より送信するサーバ制御部と、を備える。
（３）請求項７に記載の音楽再生プログラムは、複数の音楽、および音楽の識別情報を記憶部に記憶する記憶工程と、音量の調整および音楽の再生と停止が可能な音楽再生工程と、ユーザの生体情報を測定する生体情報センサの出力からユーザが覚醒状態、入眠状態、睡眠状態のいずれの状態にあるかを判定する覚醒度算出工程と、通常電力モードと低消費電力モードとを択一的に選択する選択工程と、覚醒度算出工程がユーザが入眠状態にあると判定すると音楽再生工程により音量を減少し、覚醒度算出工程がユーザが睡眠状態にあると判定すると音楽再生工程により音楽の再生を停止し再生していた音楽の識別情報を記憶工程により記憶するとともに選択工程により低消費電力モードに移行し、覚醒度算出工程がユーザが睡眠状態にあると判定した後に覚醒状態にあると判定すると選択工程により通常電力モードに移行し記憶した音楽の識別情報により識別される音楽を音楽再生工程により再生する制御工程と、を備えコンピュータにより実行される。
【発明の効果】
【０００６】
本発明によれば、入眠時に再生していた音楽から覚醒時に再生を再開することとができる。
【図面の簡単な説明】
【０００７】
【図１】第１の実施の形態における音楽再生装置のブロック図
【図２】第１の実施の形態における制御部の動作を表すフローチャート
【図３】第２の実施の形態における音楽情報共有システムのブロック図
【図４】音楽データベースの一例を示す図
【図５】ユーザデータベースの一例を示す図
【図６】音楽再生装置のユーザ交流機能の動作を表すフローチャート
【図７】友人リストを表示するインタフェースの例を示す図
【図８】第３の実施の形態における音楽再生装置のブロック図
【図９】第３の実施の形態における想定状況を説明する図
【図１０】第３の実施の形態における制御部の動作を表すフローチャート
【発明を実施するための形態】
【０００８】
（第１の実施の形態）
以下、図１〜図２を参照して、本発明による第１の実施の形態を説明する。
はじめに、第１の実施の形態にかかる音楽再生装置の構成を説明する。
【０００９】
図１は音楽再生装置１０の構成を表すブロック図である。音楽再生装置１０は頭部を覆うヘッドホンの形状をしており、制御部１１と、音楽再生部１２と、記憶部１３と、覚醒判定部１４と、入力部１５と、電源回路コントローラ１９と、を備える。
【００１０】
制御部１１は、不図示のＣＰＵ、ＲＯＭ、およびＲＡＭを備え、ＲＯＭに保存された後述するプログラムをＲＡＭに展開して実行する。また制御部１１は、他の構成部と音楽再生装置１０の内部バスで接続されており、データの受け渡しをすることができる。後述する、電源回路コントローラ１９に指令を送ることにより、音楽再生部１２や記憶部１３などの各構成部への電力供給を個別に開始・停止し、消費電力を削減できる。
【００１１】
音楽再生部１２は、不図示のＤＡ変換器、アンプ、スピーカーを備え、制御部１１からの指示により記憶部１３に保存されている音楽データ１３ａを読み込んで再生する。また、制御部１１からの指令によりアンプの動作を変更して音量を変更することや、ある曲の指定された位置から再生を開始することができる。さらに、制御部１１からの指令により音楽の再生を停止した際には、現在再生している曲のファイル名および再生を停止した際のその曲の再生時間（以後、曲の再生停止位置）を制御部１１に出力する。たとえば、音楽再生部１２が「ＡＡＡ．ｍｐ３」というファイル名の音楽の再生を開始してから１分２０秒後に制御部１１から再生停止の指令を受けると、音楽再生部１２はファイル名として「ＡＡＡ．ｍｐ３」を、曲の再生停止位置として「１分２０秒」を制御部１１に出力する。
【００１２】
記憶部１３は、不図示のフラッシュメモリを備え、記憶部１３には音楽データ１３ａ、再生停止情報１３ｂ、レジューム再生設定１３ｃが保存されている。音楽データ１３ａはたとえば１曲ごとに独立したファイルに保存されている。ただし、音楽データ１３ａには楽器による演奏や歌だけではなく、会話や自然音も含まれる。再生停止情報１３ｂとは、前回再生を停止した際に再生していた曲のファイル名、および曲の再生停止位置である。レジューム再生設定１３ｃとは、曲の再生を停止した後に再生を再開する場合に、その再生方法を記述したものである。たとえば、再生を停止した曲の先頭から再生する（以下、頭出し再生設定と呼ぶ）、再生を停止した曲の再生停止位置から通常の音量で再生をする、再生を停止した曲の再生停止位置からフェードイン再生をするなどである。なお、フェードイン再生とは、消音状態から通常の音量まで徐々に音量を大きくしながら再生するものである。
【００１３】
覚醒判定部１４は、脳波検出部１４ａと、演算処理部１４ｂとを備える。脳波検出部１４ａはヘッドホンの形状をしており頭皮と数か所で接触しており、制御部１１からの指令を受けるとα波およびβ波を検出してデジタル信号として演算処理部１４ｂに出力する。演算処理部１４ｂは、脳波検出部１４ａが出力したデジタル信号を解析し、覚醒／入眠／睡眠のいずれの状態にあるかを判定（以後、覚醒判定）し、制御部１１に出力する。
【００１４】
入力部１５は、不図示のボタンを備え、音楽再生装置１０のユーザの入力を制御部１１に伝達する。制御部１１は入力部１５からの信号にしたがって音楽の再生、停止、レジューム再生設定１３ｃの変更などを行う。
電源回路コントローラ１９は、不図示のバッテリーから音楽再生装置１０の各構成部へ電力を供給する電源回路の接続を切り替えることができる。通常は全ての構成部へ電力を供給する通常電力モードであるが、制御部１１からの指示により音楽再生部１２や記憶部１３への電力供給を停止し電力消費を削減する省電力モードに移行する。
【００１５】
次に、第１の実施の形態における動作を説明する。
図２はユーザの入力部１５への入力により音楽の再生が開始されると同時に制御部１１で実行されるプログラムの動作を表すフローチャートである。
【００１６】
ステップＳ１０１では、制御部１１は、記憶部１３の再生停止情報１３ｂにしたがって再生を開始するように音楽再生部１２に指示を出し、ステップＳ１０２に進む。
ただし、この際は再生停止情報１３ｂの再生していた曲のファイル名のみ伝達してもよい。
ステップＳ１０２では、制御部１１は覚醒判定部１４に覚醒判定を行うよう指示を出し、ステップＳ１０３に進む。覚醒判定を行うように指示を受けた覚醒判定部１４は、脳波検出部１４ａが検出したα波およびβ波を演算処理部１４ｂにおいて解析し、覚醒／入眠／睡眠のいずれの状態にあるかを判定し、制御部１１に出力する。
【００１７】
ステップＳ１０３では制御部１１は、覚醒判定部１４における覚醒判定の結果が入眠状態であるかを判断し、入眠状態であると判断する場合はステップＳ１０４にすすみ、入眠状態でないと判断する場合はステップＳ１０５に進む。
ステップＳ１０４では制御部１１は、音楽再生部１２に再生音量を現在よりも下げる指示を出してステップＳ１０２に戻る。なお、制御部１１の処理がステップＳ１０４を通るたびに再生音量が小さくなるので、ユーザの入眠状態が継続するほど再生音量は小さくなる。
【００１８】
ステップＳ１０５では制御部１１は、音楽再生部１２へ電力供給がされており、なおかつ覚醒判定の結果が睡眠状態であるかを判断し、両方の条件を満たすと判断する場合はステップＳ１０６に進み、いずれかの条件を満たさないと判断する場合はステップＳ１０７に進む。
ステップＳ１０６では制御部１１は、音楽の再生を停止するよう音楽再生部１２に指示するとともに、音楽再生部１２から出力される、再生していた曲のファイル名および曲の再生停止位置を記憶部１３に再生停止情報１３ｂとして保存する。そして、電力消費を削減するために、電源回路コントローラ１９へ省電力モードへの移行を指示し、音楽再生部１２および記憶部１３への電力供給を停止させ、ステップＳ１０２に戻る。
ただし、制御部１１は、レジューム再生設定１３ｃを参照し、レジューム再生設定１３ｃに「頭出し再生設定」など曲の再生停止位置を必要としない再生方法が記述されていた場合には、再生していた曲のファイル名のみを記憶部１３に保存してもよい。
【００１９】
ステップＳ１０７では制御部１１は、音楽再生部１２への電力供給がされておらず、なおかつ覚醒判定の結果が覚醒状態であるかを判断し、両方の条件を満たすと判断する場合はステップＳ１０８に進み、いずれかの条件を満たさないと判断する場合はステップＳ１０９に進む。
【００２０】
ステップＳ１０８では制御部１１は、電源回路コントローラ１９へ通常電力モードへの移行を指示するとともに、音楽再生部１２へ記憶部１３に保存されている再生停止情報１３ｂおよびレジューム再生設定１３ｃにしたがって、再生を停止した位置からフェードイン再生または再生を停止した曲の先頭から再生を開始するように指示し、ステップＳ１０２に戻る。
【００２１】
ステップＳ１０９では制御部１１は、入力部１５から再生停止の信号を受信しているかを判断し、受信している場合は音楽再生部１２に再生の停止を指示する。そして音楽再生部１２から出力される、再生していた曲のファイル名および曲の再生停止位置を記憶部１３に再生停止情報１３ｂとして保存し、図２に示すフローチャートを終了する。
ただし、制御部１１は、レジューム再生設定１３ｃを参照し、レジューム再生設定１３ｃに「頭出し再生設定」など曲の再生停止位置を必要としない再生方法が記述されていた場合には、再生していた曲のファイル名のみを記憶部１３に保存してもよい。
【００２２】
以上説明した本実施の形態によれば、次の作用効果を奏する。
（１）第１の実施の形態に係る音楽再生装置１０は、音楽再生部１２と、記憶部１３と、脳波検出部１４ａと、演算処理部１４ｂと、電源回路コントローラ１９と、制御部１１と、を備える。音楽再生部１２は、音量の調整および音楽の再生と停止が可能である。記憶部１３は、音楽の識別情報、すなわち曲のファイル名、ならびに複数の曲を記憶する。脳波検出部１４ａは、ユーザの生体情報を測定する。演算処理部１４ｂは、脳波検出部１４ａの出力からユーザが覚醒状態、入眠状態、睡眠状態のいずれの状態にあるかを判定する。電源回路コントローラ１９は、通常電力モードと低消費電力モードとを択一的に選択する。制御部１１は、演算処理部１４ｂがユーザが入眠状態にあると判定すると音楽再生部１２に音量を減少させる。制御部１１は、演演算処理部１４ｂがユーザが入眠状態にあると判定すると音楽再生部１２に音量を減少させる。制御部１１は、演算処理部１４ｂがユーザが睡眠状態にあると判定すると、音楽再生部１２に再生を停止させ再生していた曲のファイル名を記憶部１３に記憶させるとともに電源回路コントローラ１９により低消費電力モードに移行させる。制御部１１は、演算処理部１４ｂがユーザが睡眠状態にあると判定した後に覚醒状態にあると判定すると、電源回路コントローラ１９により通常電力モードに移行させ、音楽再生部１２に記憶部１３に記憶したファイル名から識別される音楽を再生させる。
【００２３】
そのため、入眠時に再生していた音楽から覚醒時に再生を再開することができる。また、演算処理部１４ｂがユーザが睡眠状態にあると判断すると、制御部１１は音楽再生を停止させるだけでなく、使用しない音楽再生部１２および記憶部１３への電力供給を停止して低消費電力モードに移行するので、音楽再生装置１０の消費電力を削減できる。
【００２４】
（２）記憶部１３は、音楽の識別情報、すなわち曲のファイル名および曲の再生停止位置を再生停止情報１３ｂとして保存する。制御部１１は、演算処理部１４ｂがユーザが睡眠状態にあると判定すると、音楽再生部１２に再生を停止させ再生していた曲のファイル名および曲の再生停止位置を再生停止情報１３ｂとして記憶部１３に記憶させるとともに、電源回路コントローラ１９により低消費電力モードに移行させる。制御部１１は、演算処理部１４ｂがユーザが睡眠状態にあると判定した後に覚醒状態にあると判定すると電源回路コントローラ１９により通常電力モードに移行させ音楽再生部１２に記憶部１３に記憶したファイル名から識別される音楽を記憶した曲の再生停止位置から再生させる。
そのため、入眠の際に再生していた音楽の続きから覚醒時に音楽を聴くことができ、ユーザが違和感を感じることがない。
【００２５】
（３）第１の実施の形態に係る音楽再生装置１０の制御部１１は、演算処理部１４ｂが睡眠状態にあると判定した後に覚醒状態にあると判定すると、電源回路コントローラ１９により通常電力モードに移行させる。そして、レジューム再生設定１３ｃの記述にしたがって、再生停止情報１３ｂに含まれるファイル名の曲についてその曲の再生停止位置からフェードイン再生をする、または再生停止情報１３ｂに含まれるファイル名の曲の先頭から再生する。
【００２６】
そのため、フェードイン再生であれば覚醒時に大きな音で驚くことなく続きから聞くことができ、曲の先頭からの再生であれば改めて初めから曲を楽しめるだけでなくユーザ自身が寝ていたことに気づくことができる。さらに、この２つの再生をユーザの意思により自由に事前に設定できるという利点がある。
【００２７】
（変形例１）
第１の実施の形態においては覚醒判定部１４が音楽再生装置１０と一体となっていたが、覚醒判定部１４を音楽再生装置１０から独立させて、無線もしくは有線による通信により制御部１１に覚醒判定の結果を伝達してもよい。また、演算処理部１４ｂは音楽再生装置１０が備え、脳波検出部１４ａのみを音楽再生装置１０から独立した構成としてもよい。
この変形例１によれば、覚醒判定部１４を音楽再生装置１０と分離できるので音楽再生装置１０を小型化できる。また、市販されている様々な脳波検出装置を脳波検出部１４ａとして使用できるため、ユーザの所有している脳波検出装置を有効に活用できる。
【００２８】
（変形例２）
第１の実施の形態においては音楽再生装置１０のユーザの覚醒判定に脳波を用いたがこれに限定されない。覚醒状態／入眠状態／睡眠状態の判定ができればよいので他の生体情報、例えば心拍数、手足の動き、または眼球の動きをセンサによって計測してもよい。この変形例２によれば、覚醒判定部１４を音楽再生装置１０に内蔵していながら音楽再生装置１０を小型化することができる。
【００２９】
（第２の実施の形態）
図３〜図７を参照して、本発明の第２の実施の形態にかかる音楽情報共有システムを説明する。以下の説明では、第１の実施の形態と同じ構成要素には同じ符号を付して相違点を主に説明する。特に説明しない点については、第１の実施の形態と同じである。本実施の形態では、新たにデータ集約サーバ２０が加わり、音楽再生装置１０が送信する情報を集計して配信する点で第１の実施の形態と異なる。また、音楽再生装置１０が遠隔操作される点でも第１の実施の形態と異なる。
【００３０】
第２の実施の形態における音楽情報共有システムの構成を説明する。
図３は第２の実施の形態における音楽情報共有システムのブロック図である。音楽情報共有システムは、複数の音楽再生装置１０と、データ集約サーバ２０から構成される。
【００３１】
音楽再生装置１０の構成は第１の実施の形態で説明したものに加えて、機器ＩＤ１３ｄと、通信部１６と、表示部１７と、を備える。機器ＩＤ１３ｄは音楽情報共有システムにおける利用者を識別するための識別子であり、それぞれの音楽再生装置１０に固有な値が保存されている。機器ＩＤ１３ｄとユーザ名その他の情報との紐づけはデータ集約サーバ２０のユーザデータベース２３により行われる。通信部１６はデータ集約サーバ２０と通信をする。表示部１７は不図示の液晶ディスプレイを備え、制御部１１からの指令によりユーザへの情報を表示する。
【００３２】
また、制御部１１はデータ集約サーバ２０から音楽再生部１２に関する遠隔操作を受け付けている。遠隔操作の要求を受信すると、必要に応じて電源回路コントローラ１９へ通常電力モードへの復帰を指示し、音楽再生部１２にデータ集約サーバ２０からの動作指令を指示する。
【００３３】
データ集約サーバ２０は、制御部２１と、音楽データベース２２と、ユーザデータベース２３と、通信部２４と、を備える。
制御部２１は、ＣＰＵ、ＲＯＭ、ＲＡＭを備え、一定時間の経過、および通信部２４のデータ受信をトリガーとしてＲＯＭに保存されている後述するプログラムをＲＡＭに展開して実行する。このプログラムを実行することにより、音楽データベース２２およびユーザデータベース２３へのデータ保存およびデータ読み出し、ならびに通信部２４による音楽再生装置１０との通信を行う。
【００３４】
音楽データベース２２には、順次蓄積された多数の音楽情報、および期間ごとに順位付けされた音楽情報（以下、ランキング情報）、たとえば図４に示すような情報が蓄積されている。順次蓄積された音楽情報とは、例えば通信部２４が受信した時間と曲名の組合せであり、これを一定期間ごとに集計したものがランキング情報である。
【００３５】
ユーザデータベース２３は、不図示のフラッシュメモリを備え、ユーザデータベース２３には、図５に示すように機器ＩＤ１３ｄ、名前、状態、友人のＩＤ、親しい友人のＩＤが保存されている。名前は、その機器ＩＤ１３ｄを使用しているユーザ自身が登録したユーザの名前である。状態は、覚醒／睡眠／オフラインのいずれかであり、音楽再生装置１０からの通信内容および通信の有無から制御部２１により決定される。たとえば、音楽再生装置１０から送信される覚醒判定の結果が覚醒であれば覚醒状態と判断し、覚醒判定の結果が睡眠もしくは入眠であれば睡眠状態と判断し、既定の時間、たとえば３０分間覚醒判定の結果を受信しなかったらオフラインと判断する。友人のＩＤは、メッセージを送ることができる機器ＩＤ１３ｄの一覧である。親しい友人のＩＤは、メッセージの送信だけでなく音楽再生装置１０の遠隔操作もできる機器ＩＤ１３ｄの一覧である。
【００３６】
なお、友人のＩＤおよび親しい友人のＩＤのユーザデータベース２３への登録は、一定時間内にそれぞれの機器ＩＤ１３ｄを有する音楽再生装置１０が、相互に友人のＩＤまたは親しい友人のＩＤとしてデータ集約サーバ２０へ送信することによりなされる。たとえば、音楽再生装置１０が当該機器ＩＤ１３ｄを００１、友人の機器ＩＤ１３ｄを００２としてデータ集約サーバ２０へ送信し、それから一定時間内に別の音楽再生装置１０が当該機器ＩＤ１３ｄを００２、友人の機器ＩＤ１３ｄを００１としてデータ集約サーバ２０へ送信すると、ユーザデータベース２３へその旨が登録される。
通信部２４は複数の音楽再生装置１０と通信をする。
【００３７】
第２の実施の形態における音楽情報共有システムの動作を説明する。本システムは、ランキング機能とユーザ交流機能との２つの機能を有し、それぞれ独立に動作している。まずランキング機能を説明する。
【００３８】
音楽再生装置１０では、ユーザの入力部１５への入力により音楽の再生が開始されると、第１の実施の形態と同様に、図２に示すフローチャートで動作が表されるプログラムが制御部１１により実行される。ただし、ステップＳ１０６において、制御部１１は、再生停止情報１３ｂを記憶部１３に保存するとともに、音楽再生部１２が再生していた曲の曲名をデータ集約サーバ２０に送信する。なお、曲名はファイル名として、またはファイルの特定の領域に保存されている。
【００３９】
また、音楽再生装置１０の制御部１１は、ユーザから入力部１５によりランキング情報閲覧の入力を受けると、通信部１６によりデータ集約サーバ２０にランキング情報要求を送信し、データ集約サーバ２０からランキング情報を受信して表示部１７に表示する。
【００４０】
データ集約サーバ２０では、音楽再生装置１０から再生していた曲の曲名を受信すると、制御部２１は、音楽データベース２２に受信した日時とともに曲名を保存する。また、たとえば１時間ごとに曲名の出現回数による順位づけをした、その日、および過去１週間のランキング情報を作成する。そして、通信部２４が音楽再生装置１０からランキング情報の要求を受信すると、制御部２１は、その音楽再生装置１０にランキング情報を送信する。
【００４１】
次にユーザ交流機能を利用する。
音楽再生装置１０の制御部１１は、音楽再生の有無にかかわらず、一定時間ごとに覚醒判定を行い、その結果をデータ集約サーバ２０に送信する。また、制御部１１はユーザから入力部１５によりユーザ交流開始の指令を受けると、図６のフローチャートに示す動作を行うプログラムを実行する。
【００４２】
ステップＳ２０１では、制御部１１は、データ集約サーバ２０に友人情報の要求および当該音楽再生装置１０の機器ＩＤ１３ｄを送信し、データ集約サーバ２０からの応答を受信してからステップＳ２０２に進む。この要求を受けたデータ集約サーバ２０の制御部２１は、ユーザデータベース２３から受信した機器ＩＤ１３ｄと同一の機器ＩＤ１３ｄを検索し、その友人、および親しい友人の名前および状態を音楽再生装置１０に送信する。
【００４３】
ステップＳ２０２では、制御部１１は、データ集約サーバ２０からの応答に応じて、例えば図７に示すようなユーザの名前および状態が一覧表示されている友人リストを表示し、ステップＳ２０３に進む。
友人リストに表示されている友人にはメッセージを送信できるだけでなく、音符マークが付されている親しい友人に対しては、そのユーザの音楽再生装置１０を遠隔操作できる。図７では、ユーザ「三四郎」の４人の友人が表示されており、「ボブ」と「花子」は覚醒状態、「太郎」は睡眠状態、「サクラ」はオフライン状態である。また、音符マークの表示から「三四郎」は「太郎」および「花子」の音楽再生装置１０を遠隔操作できることがわかる。
【００４４】
ステップＳ２０３では、制御部１１は、ユーザが入力部１５からの操作により友人リストからいずれかの友人を選択したかを判断する。いずれかの友人を選択したと判断する場合はステップＳ２０４に進み、いずれの友人も選択していないと判断する場合はステップＳ２１３に進む。
ステップＳ２０４では、制御部１１は、ユーザが選択した友人が遠隔操作も可能な親しい友人であったかを判断する。親しい友人を選択したと判断する場合はステップＳ２０５に進み、親しい友人を選択していないと判断する場合はステップＳ２１０に進む。ユーザが選択した友人が親しい友人であるか否かは、ステップＳ２０１においてデータ集約サーバ２０から受信したデータにより判断できる。
【００４５】
ステップＳ２０５では、制御部１１は、選択した親しい友人の音楽再生装置１０を遠隔操作するのか、メッセージを送信するのかを選択するインタフェースを表示部１７に表示してステップＳ２０６に進む。ただし、友人の状態がオフラインの場合には遠隔操作が不可能なのでメッセージ送信しかできない旨のメッセージを表示し、メッセージ送信しか選択不可能にする。
【００４６】
ステップＳ２０６では、制御部１１は、ユーザの選択が遠隔操作であったか否かを判断し、遠隔操作であると判断する場合はステップＳ２０７に進み、遠隔操作でなかった、すなわちメッセージ送信であったと判断する場合はステップＳ２１０に進む。
ステップＳ２０７では、制御部１１は、ユーザが選択した親しい友人の音楽再生装置１０を遠隔操作するためのインタフェースを表示部１７に表示し、ステップＳ２０８に進む。ここではたとえば、再生する曲の選択や音量を選択することができる。
【００４７】
ステップＳ２０８では、制御部１１は、ユーザによる入力部１５からの入力があったかを判断し、入力があったと判断する場合はステップＳ２０９に進み、入力がないと判断する場合はステップＳ２０８に戻りユーザの入力を待つ。
ステップＳ２０９では、制御部１１は、ユーザによる遠隔操作の入力をデータ集約サーバ２０に送信し、ステップＳ２０３に戻る。この通信を受信したデータ集約サーバ２０の制御部２１は、ユーザが選択した友人の音楽再生装置１０に対して音楽再生の指令を送信する。
【００４８】
ステップＳ２１０では、制御部１１は、メッセージを入力するためのインタフェースを表示部１７に表示してステップＳ２１１に進む。
ステップＳ２１１では、制御部１１は、ユーザによる入力部１５からの入力があったかを判断し、入力があったと判断する場合はステップＳ２１２に進み、入力がないと判断する場合はステップＳ２１１に戻りユーザの入力を待つ。
【００４９】
ステップＳ２１２では、制御部１１は、ユーザが入力したメッセージをデータ集約サーバ２０に送信し、ステップＳ２０３に戻る。この通信を受信したデータ集約サーバ２０の制御部２１は、ユーザが選択した友人の音楽再生装置１０に対してそのメッセージを送信する。ただし、その音楽再生装置１０がオフラインの場合は、次にその音楽再生装置１０から覚醒判定の結果を受信した際にそのメッセージを送信する。
【００５０】
ステップＳ２１３では、制御部１１は、ユーザが終了を選択したか否かを判断し、終了を選択したと判断する場合は図４に示すフローチャートを終了し、終了を選択していないと判断する場合はステップＳ２０３に戻る。
【００５１】
以上説明した本実施の形態によれば、次の作用効果を奏する。
（１）本発明の第２の実施の形態に係る音楽情報共有システムは、データ集約サーバ２０と音楽再生装置１０とから構成される。音楽再生装置１０は、データ集約サーバ２０へランキング情報要求を送信する通信部１６をさらに備える。音楽再生装置１０の制御部１１は、演算処理部１４ｂがユーザが睡眠状態にあると判定すると、音楽再生部１２に再生を停止させ再生していた曲のファイル名および曲の再生停止位置を再生停止情報１３ｂとして記憶部１３に記憶させるとともに電源回路コントローラ１９により低消費電力モードに移行させるだけでなく、音楽再生部１２が再生していた曲の識別情報、すなわち曲名を通信部１６にデータ集約サーバ２０へ送信させる。データ集約サーバ２０は、音楽再生装置１０から音楽再生部１２が再生していた曲の曲名を受信する通信部２４と、受信した曲名および受信した情報を一定期間ごとに出現回数により順位付けしたものを記憶する音楽データベース２２と、音楽再生装置１０からランキング情報要求を受信すると音楽データベース２２のランキング情報を通信部２４より送信する制御部２１と、を備える。
【００５２】
そのため、ユーザは他の音楽再生装置１０のユーザが睡眠に入った時に再生されていた曲を知ることができ、積極的に睡眠状態に入るために再生する曲の候補とすることができる。また、順位付けされているため選択の指針になり、ユーザが曲の選択に迷うことがない。さらにこのランキングは順次改訂されるため、ユーザは飽きることなく次々に再生する曲の候補を得ることができる。
【００５３】
（２）音楽再生装置１０の制御部１１は、一定時間ごとに覚醒判定を行い、その結果をデータ集約サーバ２０に送信する。ユーザによる入力部１５への入力があると、データ集約サーバ２０へ友人情報の要求および音楽再生装置１０の機器ＩＤ１３ｄを送信し、データ集約サーバ２０からの応答に応じて友人リストを表示する。制御部１１は、データ集約サーバ２０から遠隔操作の要求を受信すると、音楽再生部１２にデータ集約サーバ２０からの動作指令を指示する。データ集約サーバ２０の制御部２１は、音楽再生装置１０から受信する覚醒判定に基づきユーザデータベース２３の当該音楽再生装置１０の状態を更新する。また、音楽再生装置１０から他の音楽再生装置１０へのメッセージ送信または遠隔操作の指令を受信すると、その他の音楽再生装置１０へメッセージ送信または遠隔操作の指令を送信する。
【００５４】
そのため、ユーザは友人にメッセージを送信できるだけでなく、親しい友人の音楽再生装置１０を遠隔操作することができる。したがって、親しい友人がメッセージへの応答がない場合に友人リストによりその友人の状態を確認し、睡眠状態にあれば遠隔操作によりその友人の音楽再生装置１０において音楽を再生してその友人を覚醒させ、メッセージへの応答を促すことができる。
【００５５】
（変形例３）
第２の実施の形態においては、データ集約サーバ２０は音楽再生装置１０とのみ通信していたが、データ集約サーバ２０は他の電子機器、例えばパソコンにランキング情報を送信してもよい。また、ランキング情報にあわせて、そのランキングに記載されている曲を電子配信している販売ページへのハイパーリンクが記載されたファイルをあわせて送信してもよい。
【００５６】
この変形例３によれば、睡眠開始時に再生されていた曲であって多くのユーザが聞いていた人気のある曲の購入をユーザに促すことができ、トラフィックの誘導により利益を得ることができる。また、音楽再生装置１０のユーザも自分が所持していない曲を簡便に購入することができる利点がある。
【００５７】
（第３の実施の形態）
図８〜図１０を参照して、本発明による音楽再生装置を乗り過ごしアラームに適用した第３の実施の形態を説明する。
【００５８】
第３の実施の形態と第１の実施の形態との構成における主な相違は、音楽再生装置を使用しているユーザが電車内に居り、位置と時間に応じて音楽などを再生する点である。
図８は、第３の実施の形態における音楽再生装置１０の構成を示すブロック図である。音楽再生装置１０の構成は第１の実施の形態で説明したものに加えて、時刻表１３ｅ、ＧＰＳ受信機１８、および不図示の報知手段を備える。報知手段は後述するように、音楽再生装置１０が振動するバイブレーションを設けてもよいし、保存部１３に保存した特別な音楽データ１３ａを音楽再生部１２により再生することにより実現してもよい。
【００５９】
時刻表１３ｅは、ユーザが乗車している路線について、各駅の上りおよび下りの時刻表を収録している。ＧＰＳ受信機１８は、衛星からの電波を受信することにより現在位置を算出することができる。そのため、制御部１１は、ＧＰＳ受信機１８の出力する現在位置、および時刻表１３ｅにより、次の駅で乗り換え可能な電車を算出することができる。
【００６０】
音楽再生装置１０の動作の詳細を説明する前に、動作の概要および想定する状況を説明する。図９に示すように、Ｐ駅〜Ｓ駅が順番に下り方面に並んでおり、ユーザは下り方面の電車でＰ駅を降車目的地として移動している。ここでＰ駅を乗り過ごしてしまった際にできるだけ早く降車することが望ましいが、特に、上り方面でかつＰ駅に到着できる最終電車（以下、目的地に戻る最終電車と呼ぶ）に乗車することに注力する。
【００６１】
たとえば、ユーザの乗車している下り方面の電車がＰ駅を２３時に発車し、全ての駅間の電車での移動に３０分を要し、Ｐ駅に到着できる上り方面の最終列車はＳ駅を２３時４０分に発車する場合を考える。このときユーザは、Ｑ駅およびＲ駅で降車すれば目的地に戻る最終列車に乗車できるが、Ｓ駅で降車しても目的地に戻る最終電車には乗車できない。そのためＲ駅の直前ではＰ駅やＱ駅以上の注意喚起能力を有する報知を行い、目的地に戻る最終電車には乗車できるように努める。
【００６２】
次に第３の実施の形態における音楽再生装置１０の動作を説明する。
図９のフローチャートに示すプログラムは、ユーザの入力部１５からの明示の操作により開始される。また、目的地とする駅は予めユーザが入力部１５から設定している。
【００６３】
ステップＳ３０１において、制御部１１は、ＧＰＳ受信機１８の出力を参照して現在地から目的地である駅までの距離が所定の距離よりも近いか否かを判断する。近いと判断する場合はステップＳ３０２に進み、近くないと判断する場合はステップＳ３０１に留まり再度同じ判断をする。
【００６４】
ステップＳ３０２において、制御部１１は、第１の報知を行いステップＳ３０３に進む。報知は不図示のバイブレーションにより音楽再生装置１０を振動させてもよいし、記憶部１３に保存した音楽データ１３を音楽再生部１２により再生することにより実現してもよい。第１の報知とは、後述する第２の報知、および第３の報知との比較による表現であり、第２の報知は第１の報知と同等かそれ以上の注意喚起能力を有し、第３の報知は第２の報知と同等かそれ以上の注意喚起能力を有する。たとえば、バイブレーションよりもアラームの方が注意喚起能力が高く、バイブレーションやアラームの単独よりも組み合わせた方が注意喚起能力が高く、音が大きいほど注意喚起能力が高く、ユーザの操作により報知を停止できない方が注意喚起能力が高い。また、音楽の再生を継続したままアラームを鳴らすよりも音楽の再生を停止してアラームのみを鳴らした方が注意喚起能力が高い。
【００６５】
ステップＳ３０３において、制御部１１は、ＧＰＳ受信機１８の出力を参照して、ユーザが目的地である駅で電車から降車したか否かを判断する。目的地である駅でユーザが電車から降車したと判断する場合はステップＳ３１４に進み、降車していないと判断する場合はステップＳ３０４に進む。
ステップＳ３０４において、制御部１１は、ＧＰＳ受信機１８の出力を参照して、ユーザが目的地である駅を通過したか否かを判断する。目的地である駅を通過したと判断する場合はステップＳ３０５に進み、通過していないと判断する場合はステップＳ３０３に戻る。
【００６６】
ステップＳ３０５において、制御部１１は、いったん報知を停止してステップＳ３０６に進む。ここで報知を停止するのは、次の停車駅まで時間がある場合には不要な報知となるからである。
ステップＳ３０６において、制御部１１は、ＧＰＳ受信機１８の出力および時刻表１３ｅを参照して、現在ユーザが乗車している電車の次の停車駅を算出し、ステップＳ３０７に進む。なお、簡易には進行方向の最寄駅を次の停車駅とみなすことができるが、快速や急行など限られた駅にしか止まらない電車もあるため、本計算が必要となる。
【００６７】
ステップＳ３０７において、制御部１１は、ＧＰＳ受信機１８の出力を参照して現在地からステップＳ３０６において算出した次の停車駅までの距離が所定の距離よりも近いか否かを判断する。近いと判断する場合はステップＳ３０８に進み、近くないと判断する場合はステップＳ３０７に留まり再度同じ判断をする。
【００６８】
ステップＳ３０８において、制御部１１は、次の停車駅を乗り過ごして、さらに次の停車駅で降車しても、目的地に戻る最終電車に乗車できるか否かを判断する。もしも次の停車駅でしか目的地に戻る最終電車に乗車できないのであれば、可能な限りの注意喚起能力を有する報知を行うが、さらに次の停車駅でも目的地に戻る最終電車に乗車できるのであれば、周囲への配慮を優先させた報知を行うからである。制御部１１は、さらに次の停車駅で降車しても目的地に戻る最終電車に乗車できると判断する場合はステップＳ３０９に進み、次の停車駅で降車しなければ目的地に戻る最終電車に乗車できないと判断する場合はステップＳ３１２に進む。
【００６９】
ステップＳ３０９において、制御部１１は、第２の報知を行いステップＳ３１０に進む。前述のとおり第２の報知とは、第１の報知と同等かそれ以上の注意喚起能力を有する報知である。
ステップＳ３１０において、制御部１１は、ＧＰＳ受信機１８の出力を参照して、ステップＳ３０６において算出した次の停車駅でユーザが電車から降車したか否かを判断する。ステップＳ３０６において算出した次の停車駅でユーザが電車から降車したと判断する場合はステップＳ３１４に進み、降車していないと判断する場合はステップＳ３１１に進む。
【００７０】
ステップＳ３１１において、制御部１１は、ＧＰＳ受信機１８の出力を参照して、ステップＳ３０６において算出した次の停車駅をユーザが通過したか否かを判断する。ステップＳ３０６において算出した次の停車駅を通過したと判断する場合はステップＳ３０５に戻り、通過していないと判断する場合はステップＳ３１０に戻る。
ステップＳ３１２において、制御部１１は、第３の報知を行いステップＳ３１３に進む。前述のとおり第３の報知とは、第２の報知と同等かそれ以上の注意喚起能力を有する報知である。
【００７１】
ステップＳ３１３において、制御部１１は、ＧＰＳ受信機１８の出力を参照して、ステップＳ３０６において算出した次の停車駅でユーザが電車から降車した、またはその駅をユーザが通過したか否かを判断する。その駅でユーザが電車から降車した、またはその駅をユーザが通過したと判断する場合はステップＳ３１４に進み、まだユーザの乗っている電車がその駅に到達していないと判断する場合はステップＳ３１３を再度実行する。
ステップＳ３１４において、制御部１１は、報知を停止して図１０に示すフローチャートを終了する。
【００７２】
第３の実施の形態によれば、制御部１１は目的地である降車駅に近いと判断すると、第１の報知を行いユーザに注意喚起を行うので、ユーザは降りるべきことに気づくことができる。ユーザが目的地を乗り過ごすと、制御部１１は一旦報知を停止させてそれ以後次の停車駅に近いと判断するごとに第２の報知を行う。そのため、不要な時には報知が停止されユーザおよび周囲の乗客に煩わしい思いをさせることがない。制御部１１は次の停車駅で降車しなければ目的地に戻る最終電車に乗車できないと判断すると、第３の報知を行う。そのためユーザは注意喚起能力の高い第３の報知により次の停車駅で降車することができ、目的地に戻る最終電車に乗車することができる。
【００７３】
（変形例４）
第３の実施の形態において、第１の実施の形態と同様に睡眠前に聞いていた曲を再生することをもって報知行為としてもよい。たとえば、制御部１１が一定時間ごとに覚醒判定部１４に覚醒判定を行わせて、覚醒判定部１４がユーザが睡眠状態にあると判断すると、再生していた曲のファイル名および曲の再生停止位置を記憶部１３に再生停止情報１３ｂとして保存するとともに再生を停止する。そして次に第１〜第３のいずれかの報知を行う際に、再生停止情報１３ｂに基づき音楽を再生してもよい。
この変形例４によれば、ユーザは睡眠前に再生していた音楽の再生により報知がなされるため、報知に違和感を感じることがないという利点がある。そのため、特に第１の報知への適用が適している。
【００７４】
（変形例５）
第３の実施の形態においてはユーザの睡眠／覚醒に関わらず第１〜第３の報知を行ったが、それぞれの報知を行う前に制御部１１が覚醒判定部１４に覚醒判定を行わせて、覚醒状態にあると判断された場合には報知を行わなくてもよい。
覚醒状態にあれば降車すべき駅を乗り過ごすことは稀なため、この変形例５によればユーザは不要な報知をユーザが受けることがなく煩わしさを感じることがない。
【００７５】
（変形例６）
第３の実施の形態においては、ユーザの明示の操作により図９のフローチャートに示すプログラムを開始するとした。しかし、制御部１１がＧＰＳ受信機１８の出力信号を一定時間おきに監視し、ユーザが予め入力した乗車駅と降車駅とを結ぶ鉄道路線の線路上にいることにより図９のフローチャートに示すプログラムを開始してもよい。また、時間帯によって予めユーザが入力した乗車駅と降車駅を入れ替えてもよい。
【００７６】
この変形例６によれば、電車に乗車する度に明示の操作によりプログラムを開始する必要がないため簡便である。特に毎日の通勤に使用する場合は、朝と夕方で乗車駅と降車駅を入れ替えて認識されるため、最初の乗車駅と降車駅の設定を済ませればそれ以後はユーザが全く操作する必要がない、という利点がある。
【００７７】
上述した各実施の形態および変形例は、それぞれ組み合わせてもよい。
さらに、本発明の特徴的な機能を損なわない限り、本発明は、上述した実施の形態における機器構成に何ら限定されない。
【００７８】
本発明または、制御部１１が実行する以下の工程のプログラムを含むものである。すなわち、このプログラムは、複数の音楽、および音楽の識別情報を記憶部に記憶する記憶工程と、音量の調整および音楽の再生と停止が可能な音楽再生工程と、ユーザの生体情報を測定する生体情報センサの出力からユーザが覚醒状態、入眠状態、睡眠状態のいずれの状態にあるかを判定する覚醒度算出工程と、通常電力モードと低消費電力モードとを択一的に選択する選択工程と、覚醒度算出工程がユーザが入眠状態にあると判定すると音楽再生工程により音量を減少し、覚醒度算出工程がユーザが睡眠状態にあると判定すると音楽再生工程により音楽の再生を停止し再生していた音楽の識別情報を記憶工程により記憶するとともに選択工程により低消費電力モードに移行し、覚醒度算出工程がユーザが睡眠状態にあると判定した後に覚醒状態にあると判定すると選択工程により通常電力モードに移行し記憶した音楽の識別情報により識別される音楽を音楽再生工程により再生する制御工程と、を備える。
【符号の説明】
【００７９】
１０…音楽再生装置、１１…制御部、１２…音楽再生部、１３…記憶部、１３ａ…音楽データ、１３ｂ…再生停止情報、１３ｃ…レジューム再生設定、１３ｄ…機器ＩＤ、１３ｅ…時刻表、１４…覚醒判定部、１４ａ…脳波検出部、１４ｂ…演算処理部、１５…入力部、１６…通信部、１７…表示部、１８…ＧＰＳ受信機、１９…電源回路コントローラ、２０…データ集約サーバ、２１…制御部、２２…音楽データベース、２３…ユーザデータベース、２４…通信部
【図１】
2015130907.tif 000003
【図２】
2015130907.tif 000004
【図３】
2015130907.tif 000005
【図４】
2015130907.tif 000006
【図５】
2015130907.tif 000007
【図６】
2015130907.tif 000008
【図７】
2015130907.tif 000009
【図８】
2015130907.tif 000010
【図９】
2015130907.tif 000011
【図１０】
2015130907.tif 000012